(57)【要約】      （修正有）【課題】ホックのバネ側又はゲンコ側又はこの双方が回転するのを阻止して装飾付のホックにおいては装飾の向きが変わったり、ホックが緩んで取れ易くなるのを防止すると共に熟練者でなくとも安定したカシメを行うことができるホックを提供する。【解決手段】生地９にカシメたときにこの生地９と接する面であって、ホックのバネ１側又はゲンコ側またはこの双方に角８を突出形成し、カシメたときにこの角８が生地９に喰い込んで密着するようにする。このようにすると、ホックが回転したり、カシメが緩んで取れ易くなるのを防止することができると共に熟練者でない者がホック着け作業を行っても確実にホックを留めることができる。【選択図】図２
0003181363.tif 000002
【実用新案登録請求の範囲】
【請求項１】
生地にカシメたときにこの生地と接する面であって、ホックのバネ側又はゲンコ側またはこの双方に角を突出形成し、カシメたときにこの角が生地に喰い込んで密着し、生地との間で回転したり、カシメが緩んで取れ易くなるのを防止するように構成してなるホック。
【請求項２】
前記ホックは、割りバネホック又はリングバネホック又はバネホックであることを特徴とする請求項１に記載のホック。
【請求項３】
前記角は、バネ側又はこのバネを生地にカシメるための頭側又はこの双方又はゲンコ側又はこのゲンコを生地にカシメるためのホソ側又はこの双方であって、その生地と接する面に突出形成されていることを特徴とする請求項１又は２に記載のホック。
【考案の詳細な説明】
【技術分野】
【０００１】
本考案は、生地にカシメたあとで回転したり、カシメが緩んで取れ易くなるのを防止するように形成したホックに関する。
【背景技術】
【０００２】
衣服等において、その留め具として用いられるホックは、バネ側及びゲンコ側ともにカシメ方式で生地に取り付けられるのが一般的である。
【０００３】
例えば、従来のバネホックの例を図２５（Ａ）、（Ｂ）に示す。このバネホックにおいて、バネ１側は、バネ材２をバネ受け３内に組み付けた構成であり、カシメ用の頭４側はクルミ７内に反射部５と座金部６とを形成した構成からなり、カシメ機（図示せず）を用いて図２６に示すように生地９を間においてバネ１側のカシメ部１ａに頭４側の反射部５をカシメることで取り付けられている。
【０００４】
また、従来のリングホックの場合も、図２７、２８に示すようにリングバネ１０のバネ受け３内にリング１１を組み付け、生地９に対して頭４側の反射部５をカシメ部１ａにカシメることで取り付けられている。
【０００５】
また、ゲンコ側も、図２９に示すように、ゲンコ２０のゲンコ部１内にホソ２２をカシメることで生地９に取り付けられている。
【０００６】
以上のように、従来のホックは、バネ１側及びゲンコ２０側ともにカシメ方式で生地９に取り付けられているため、次のような問題があった。
【０００７】
１．カシメ強度は生地９の材質や厚さにより調整する必要があり、このカシメ強度の設定には熟練が必要である。
【０００８】
２．また、カシメ強度が強すぎると生地９を痛めてしまう心配があり、弱いとホックが回転して装飾を施したホックの場合には向きが変って外観が悪くなると共にホックが回るようになると取れ易くなる。
【考案の概要】
【考案が解決しようとする課題】
【０００９】
本考案は、上記した１、２の問題のないホックを提供するのが目的である。
【課題を解決するための手段】
【００１０】
上記目的を達成するため、請求項１に記載のホックは生地にカシメたときにこの生地と接する面であって、ホックのバネ側又はゲンコ側またはこの双方に角を突出形成し、カシメたときにこの角が生地に喰い込んで密着し、生地との間で回転したり、カシメが緩んで取れ易くなるのを防止するように構成してなること、を特徴とするものである。
【００１１】
また、請求項２に記載の考案は、請求項１に記載のホックにおいて、前記ホックは、割りバネホック又はリングバネホック又はバネホックであること、を特徴とするものである。
【００１２】
また、請求項３に記載の考案は、請求項１又は２に記載のホックにおいて、前記角は、バネ側又はこのバネを生地にカシメるための頭側又はこの双方、又はゲンコ側又はこのゲンコを生地にカシメるためのホソ側又はこの双方であって、その生地と接する面に突出形成されていること、を特徴とするものである。
【考案の効果】
【００１３】
本考案は、以上のように、ホックのバネ又はゲンコ又はこの双方において、カシメたときに生地と接する面に角を突出形成し、この角が生地に喰い込んで密着するように構成した。
【００１４】
この結果、カシメ強度が仮に不足していてもホックが回ったり、取れ易くなったりしないという効果がある。
【００１５】
また、角が生地に喰い込むため、生地の材質や厚さに合わせてカシメ強度を調整するときに、それほどの熟練を必要としないことから、仮に未熟な作業者がホック着け作業を行った製品であってもあとでホックが回転したり、取れ易くなるということがなく製品の品質に対する信頼性を高めることができる。
本考案のホックを取り付けた衣服等に対する品質の信頼性を高めることができる。
【図面の簡単な説明】
【００１６】
【図１】バネホックを示し、（Ａ）は頭、（Ｂ）はバネの説明図
【図２】バネホックを生地に留めた状態の説明図
【図３】バネと頭の双方に角を形成したバネホックを示し、（Ａ）は頭、（Ｂ）はバネの説明図
【図４】図３のバネホックを生地に留めた状態の説明図
【図５】バネホックのバネの内側を示す説明図
【図６】図５に示すバネの断面図
【図７】リングホックを示し、（Ａ）は頭、（Ｂ）はリングバネの説明図
【図８】リングバネを生地に留めた状態の説明図
【図９】オープンリングバネの内側を示す斜視図
【図１０】図９に示すオープンリングバネの断面図
【図１１】オープンリングバネを示し、（Ａ）はワッシャー、（Ｂ）はバネの断面図
【図１２】オープンリングバネを生地に留めた状態の説明図
【図１３】サイレントバネを示し、（Ａ）は頭、（Ｂ）はバネの説明図
【図１４】サイレントバネを生地に留めた状態の説明図
【図１５】サイレントバネの内面図
【図１６】サイレントバネの断面図
【図１７】頭の内面の説明図
【図１８】図１７の頭の断面図
【図１９】ワッシャーの内面の説明図
【図２０】図１９のワッシャーの断面図
【図２１】ゲンコにおいて、ゲンコ部とホソ巻アタマ側の双方に角を形成した側の説明図
【図２２】ゲンコにおいて、ゲンコ部とホソクルミ側の双方に角を形成したカシメ金の双方側の説明図
【図２３】ゲンコにおいて、ゲンコ側にのみ角を形成した側の説明図
【図２４】ゲンコにおいて、ホソクルミ側にのみ角を形成した側の説明図
【図２５】従来のバネホックを示し、（Ａ）は頭、（Ｂ）はバネの説明図
【図２６】従来のバネホックを生地にカシメた状態の説明図
【図２７】従来のリングバネの説明図
【図２８】従来のリングバネを生地にカシメた状態の説明図
【図２９】従来のゲンコを生地にカシメた状態の説明図
【考案を実施するための形態】
【実施例１】
【００１７】
図１〜２０に基づいてバネ側に角を形成した実施例を詳細に説明する。
【００１８】
図１（Ａ）、（Ｂ）はバネホックを示し、このバネホックの頭４側であって、生地と接するクルミ７には回転止め用に角８が突出形成されている。
【００１９】
図１、２において、符号の１ａはカシメ部、２はバネ受け３内に組みつけられたバネ部、５は反射部、６は座金部、９は生地を示す。
【００２０】
本実施例において、角８は、頭４側のクルミ７の内周面に等間隔で６箇所に形成されており、この角８の数は、滑りやすい生地９用には多く、滑りにくい生地９用の場合には少ない数に設定されるが、この数は基本的には任意である。
【００２１】
図３（Ａ）、（Ｂ）はバネ１側と頭４側の双方に角８を形成した例であって、図４に示すようにバネ１例の角８と頭４側の角８が生地９に喰い込んで回転を阻止する。
【００２２】
図５はバネ１側に角８を６ヶ所形成した例を示し、図６はこのバネ１の断面図である。
【００２３】
このように、バネ１側と頭４側の双方に角８を形成するとバネ１と頭４の双方が回転を阻止されることにより、ホックの回転阻止効果を高めることになるが、頭４側ではなく、バネ１側にのみ角８を形成しても良く、角８をバネ１と頭４又はそのどちらに形成するかは生地９の材質あるいはバネの大きさ等により最適な形態が選択される。
【００２４】
図７（Ａ）、（Ｂ）はリングバネを示し、１０はリング１１をバネ受け３に組み付けたリングバネであって、このリングバネ１０の場合、角８は頭４側のクルミ７に突出形成されており、図８に示すようにこの角８が生地９に喰い込んで回転を阻止する。
【００２５】
図９、１０はオ−プンリングバネ１３の内面を示し、このオ−プンリングバネ１３の場合も６ヶ所に角８が形成されている。
【００２６】
図１１（Ａ）、（Ｂ）はオープンリングバネ１３とワッシャー１４を示し、このオープンリングバネ１３側とワッシャ１４側の双方に角８が形成されていて、図１２に示すように生地９の裏表の双方に角８が喰い込んでいる。
【００２７】
図１３（Ａ）、（Ｂ）はサイレントバネ１５を示し、サイレントバネ１５と頭４の双方に角８が突出形成されていて、図１４に示すように生地９の裏表の双方に角８が喰い込んでいる。
【００２８】
図１５はサイレントバネ１５側の内面を示し、図１６は断面図である。
【００２９】
図１７は前記サイレントバネ１５の頭４側の内面を示し、角８は６ヶ所に突出形成されており、その断面を図１８に示す。
【００３０】
図１９、２０はオ−プンリングバネ１３用のワッシャー１４の内面を示し、このワッシャー１４には６ヶ所に角８が形成されている。
【００３１】
なお、図３以下において、図１、２と同一の符号は同一の構成部を指しており、その説明は重複を避けるために省略している。
【実施例２】
【００３２】
本実施例２は、ゲンコ２０側に角８を突出形成した例であって、図２１はゲンコ２０側とホソ２２側のホソ巻アタマ２４側の双方に角８を形成した例、図２２はゲンコ２０側とホソ２２側の双方に角８を形成した例、図２３はゲンコ２０側にのみ角８を形成した例、図２４はホソクルミ２３側にのみ角８を形成した例である。
なお、ゲンコ２０側においても、角８を形成する条件はバネ１側と同じである。
【符号の説明】
【００３３】
１  バネ
２  スプリング
３  バネ受け
４  頭
５  反射部
６  座金部
７  クルミ
８  角
９  生地
１０  リングバネ
１１  リング
１２  頭
１３  オープンリングバネ
１４  ワッシャー
１５  サイレントバネ
２０  ゲンコ
２１  ゲンコ部
２２  ホソ
２３  ホソクルミ
２４  ホソ巻アタマ
【図１】
0003181363.tif 000003
【図２】
0003181363.tif 000004
【図３】
0003181363.tif 000005
【図４】
0003181363.tif 000006
【図５】
0003181363.tif 000007
【図６】
0003181363.tif 000008
【図７】
0003181363.tif 000009
【図８】
0003181363.tif 000010
【図９】
0003181363.tif 000011
【図１０】
0003181363.tif 000012
【図１１】
0003181363.tif 000013
【図１２】
0003181363.tif 000014
【図１３】
0003181363.tif 000015
【図１４】
0003181363.tif 000016
【図１５】
0003181363.tif 000017
【図１６】
0003181363.tif 000018
【図１７】
0003181363.tif 000019
【図１８】
0003181363.tif 000020
【図１９】
0003181363.tif 000021
【図２０】
0003181363.tif 000022
【図２１】
0003181363.tif 000023
【図２２】
0003181363.tif 000024
【図２３】
0003181363.tif 000025
【図２４】
0003181363.tif 000026
【図２５】
0003181363.tif 000027
【図２６】
0003181363.tif 000028
【図２７】
0003181363.tif 000029
【図２８】
0003181363.tif 000030
【図２９】
0003181363.tif 000031